【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
複数のサブ画素からなる表示画素を含んでなる液晶パネルと、前記液晶パネルを照明する照明装置と、を有する電気光学装置であり、
前記複数のサブ画素は、少なくとも着色領域を含むサブ画素、及び透明又は白色領域を有するサブ画素を含んでなり、
入力される画像信号の各色の強度より算出する信号に基づいて、前記透明又は白色領域を有するサブ画素に対応する画像信号を決定することを特徴とする電気光学装置。
【請求項２】
請求項１に記載の電気光学装置において、
入力される画像信号の各色の強度より算出する信号に基づいて、前記照明装置から出光する光の輝度を調整することを特徴とする電気光学装置。
【請求項３】
請求項１に記載の電気光学装置において、
前記入力される画像信号はＲＧＢ各色の画像信号を含んでなり、前記信号は前記ＲＧＢ各色の画像信号の強度を基に算出される輝度信号であることを特徴とする電気光学装置。
【請求項４】
請求項３に記載の電気光学装置において、
前記入力される画像信号を、前記複数のサブ画素に対応する画像信号に変換する表示画像変換回路を更に備えてなることを特徴とする電気光学装置。
【請求項５】
請求項４に記載の電気光学装置において、シアンの前記サブ画素を含んでなることを特徴とする電気光学装置。
【請求項６】
請求項４に記載の電気光学装置において、
前記複数のサブ画素のうち少なくとも２つのサブ画素は、青から黄までの色相から選択される色相の着色領域を有することを特徴とする電気光学装置。
【請求項７】
請求項６に記載の電気光学装置において、
前記２つのサブ画素は、青系の色相の着色領域を有するサブ画素、及び赤系の色相の着色領域を有するサブ画素、を更に有することを特徴とする電気光学装置。
【請求項８】
請求項６に記載の電気光学装置において、
前記２つのサブ画素のうち、一方のサブ画素は、青から緑の間の色相の着色領域を有し、他方のサブ画素は、緑から橙の間の色相の着色領域を有することを特徴とする電気光学装置。
【請求項９】
請求項４に記載の電気光学装置において、
前記複数のサブ画素は、透過光の波長ピークが４８５〜５３５ｎｍの範囲にある着色領域を有するサブ画素、透過光の波長ピークが５００〜５９０ｎｍの範囲にある着色領域を有するサブ画素を含んでなることを特徴とする電気光学装置。
【請求項１０】
請求項９に記載の電気光学装置において、
前記複数のサブ画素は、透過光の波長ピークが４１５〜５００ｎｍの範囲にある着色領域を有するサブ画素、及び透過光の波長ピークが６００ｎｍ以上にある着色領域を有するサブ画素、を含んでなることを特徴とする電気光学装置。
【請求項１１】
複数のサブ画素からなる表示画素を含んでなる液晶パネルと、前記液晶パネルを照明する照明装置と、を有する電気光学装置であり、
前記複数のサブ画素は、少なくとも着色領域を含むサブ画素、及び透明又は白色領域を有するサブ画素を含んでなり、
入力される画像信号の各色の強度より算出する信号に基づいて、前記照明装置の輝度を調整することを特徴とする。
【請求項１２】
請求項１又は１１に記載の電気光学装置を表示部に備えることを特徴とする電子機器。
【手続補正２】
【補正対象書類名】明細書
【補正対象項目名】０００７
【補正方法】変更
【補正の内容】
【０００７】
本発明の電気光学装置は、複数のサブ画素からなる表示画素を含んでなる液晶パネルと、前記液晶パネルを照明する照明装置と、を有する電気光学装置であり、前記複数のサブ画素は、少なくとも着色領域を含むサブ画素、及び透明又は白色領域を有するサブ画素を含んでなり、入力される画像信号の各色の強度より算出する信号に基づいて、前記透明又は白色領域を有するサブ画素に対応する画像信号を決定することを特徴とする。着色領域を含むサブ画素は、例えば、少なくともシアン（Ｃ）及び白色(Ｗ)の２つのサブ画素を含んでなる。また、赤（Ｒ）、青（Ｂ）及び緑（Ｇ）のサブ画素を更に有する。
【手続補正３】
【補正対象書類名】明細書
【補正対象項目名】０００８
【補正方法】変更
【補正の内容】
【０００８】
また、本発明の電気光学装置の他例では、複数のサブ画素のうち少なくとも２つのサブ画素は、青から黄までの色相から選択される色相の着色領域を有する。また、複数のサブ画素は、青系の色相の着色領域を有するサブ画素、及び赤系の色相の着色領域を有するサブ画素、を更に有する。
【手続補正４】
【補正対象書類名】明細書
【補正対象項目名】０００９
【補正方法】変更
【補正の内容】
【０００９】
上記の他例に関わる電気光学装置の一態様においては、２つのサブ画素のうち、一方のサブ画素は、青から緑の間の色相の着色領域を有し、他方のサブ画素は、緑から橙の間の色相の着色領域を有する。
【手続補正５】
【補正対象書類名】明細書
【補正対象項目名】００１０
【補正方法】変更
【補正の内容】
【００１０】
本発明の電気光学装置の更なる他例では、前記複数のサブ画素は、透過光の波長ピークが４８５〜５３５ｎｍの範囲にある着色領域を有するサブ画素、透過光の波長ピークが５００〜５９０ｎｍの範囲にある着色領域を有するサブ画素を含んでなる。また、複数のサブ画素は、透過光の波長ピークが４１５〜５００ｎｍの範囲にある着色領域を有するサブ画素、及び透過光の波長ピークが６００ｎｍ以上にある着色領域を有するサブ画素を更に有する。
【手続補正６】
【補正対象書類名】明細書
【補正対象項目名】００１２
【補正方法】変更
【補正の内容】
【００１２】
本発明の電気光学装置は、例えば、液晶表示装置であり、液晶表示パネルと、照明装置とを備える。前記照明装置は、例えばＬＥＤなどの光源を有し、光を透過させることにより前記液晶表示パネルを照明する。前記液晶表示パネルは、１つの表示画素が、赤（Ｒ）、緑（Ｇ）、青（Ｂ）、シアン（Ｃ）、透明（Ｗ）の５つのサブ画素より構成される。Ｃのサブ画素を用いることにより、色再現範囲の拡張と、人間の視感度が高いＧの色の光の輝度の低下の抑制とを図ると共に、Ｗのサブ画素を用いることにより、１つの表示画素における分割数の増加による表示画面全体の輝度の低下を抑えることができる。
【手続補正７】
【補正対象書類名】明細書
【補正対象項目名】００１３
【補正方法】変更
【補正の内容】
【００１３】
本発明の電気光学装置においては、前記照明装置は、例えばＬＥＤなどの光源を有し、光を透過させることにより前記表示パネルを照明する。前記表示パネルは、１つの表示画素が、波長に応じて色相が変化する可視光領域のうち、青系の色相の着色領域、赤系の色相の着色領域、青から黄までの色相の中で選択された２種の色相の着色領域を有する４つのサブ画素と、白色領域を有するサブ画素との５つのサブ画素から構成される。この５つのサブ画素を用いることにより、色再現範囲の拡張と、光の輝度の低下の抑制とを図ると共に、白色領域のサブ画素を用いることにより、１つの表示画素における分割数の増加による表示画面全体の輝度の低下を抑えることができる。
【手続補正８】
【補正対象書類名】明細書
【補正対象項目名】００１４
【補正方法】変更
【補正の内容】
【００１４】
本発明の電気光学装置では、入力されるＲＧＢの画像信号を、複数のサブ画素に対応する例えば、ＲＧＢＣの画像信号に変換する表示画像変換回路を更に備える。このようにすることで、入力画像の画像信号として、ＲＧＢの画像信号が入力された場合においても、出力画像の色再現範囲をシアン系色の色再現範囲に拡大することができる。具体的には、表示画像変換回路は、入力されたＲＧＢの画像信号に対応するＲＧＢＣの画像信号を、ＬＵＴ（Look Up Table）より求め、液晶パネルへ出力する。このようにすることで、出力画像の色純度の向上を図ることができる。
【手続補正９】
【補正対象書類名】明細書
【補正対象項目名】００１５
【補正方法】変更
【補正の内容】
【００１５】
上記してきた本発明に関わる電気光学装置では、入力される画像信号の各色の強度より算出する信号に基づいて、前記透明又は白色領域を有するサブ画素に対応する画像信号を決定する。例えば、表示画像変換回路は、表示画像変換回路は、入力されるＲＧＢの画像信号より輝度信号を算出し、輝度信号を基に光を無着色で透過させる領域（Ｗ）を有するサブ画素に対応する画像信号を決定し、液晶パネルへ出力する。これにより、透明又は白色領域を有するサブ画素における液晶層の階調を入力画像に合わせて調整することができ、出力画像を入力画像に合わせた適切な輝度で表示することができる。
【手続補正１０】
【補正対象書類名】明細書
【補正対象項目名】００１６
【補正方法】変更
【補正の内容】
【００１６】
また、本発明の電気光学装置は、入力される画像信号の各色の強度より算出する信号に基づいて、前記照明装置から出光する光の輝度を調整することを特徴とする。例えば、表示画像変換回路が輝度信号を基に照明装置の輝度を決定して、照明装置の輝度を調整する。このようにすることで、表示画面のコントラストを向上させることができる。